(57)【要約】【課題】  町中にいる多くの販売予定対象者の検知を基にして自動販売機の照明を消灯または点灯制御することが可能な自動販売機及び自動販売機制御方法を提供する。【解決手段】  通信制御部１１０は、簡易型基地局１８を介して携帯通信端末２０を識別する端末識別情報を取得し、端末情報制御部１４０は、この端末識別情報により、携帯通信端末２０が簡易型基地局の基地局エリア内に存在する否かを判定し、基地局エリア内に携帯通信端末２０が存在するものと判定した場合には、自動販売機１０の照明を点灯させる要求を照明制御部１６０に出力し、一方、基地局エリア内に携帯通信端末２０が存在しないものと判定された場合には、自動販売機１０の照明を消灯させる要求を照明制御部１６０に出力する。照明制御部１６０は、入力された要求に従って、自動販売機１０の照明を点灯または消灯する。【選択図】図１
2007011483.tif 000002
【特許請求の範囲】
【請求項１】
自販機本体に装備された照明施設と、顧客が携帯する携帯通信端末に無線接続された簡易型基地局とを備え、この簡易型基地局で捕捉された携帯端末情報に基づいて前記照明施設の照明を点灯若しくは消灯制御する照明操作制御機構を装備してなる自販機用照明システムにおいて、
前記照明動作制御機構が、前記簡易型基地局を介して所定のタイミングで送り込まれる各携帯通信端末からの端末識別情報を取得する端末情報取得手段と、
この端末識別情報取得手段にて取得された端末識別情報に基づいて前記携帯通信端末が前記簡易型基地局の基地局エリア内に存在する否かを判定する端末有無判定手段と、
この端末有無判定手段により前記基地局エリア内に携帯通信端末が存在すると判定された場合には前記照明施設の点灯要求を出力すると共に、前記基地局エリア内に当該携帯通信端末が存在しないと判定された場合には前記照明施設の消灯要求を出力する要求出力手段と、
この要求出力手段により出力された要求に従って作動し前記自販機本体の照明施設を所定レベルで点灯制御又は消灯制御する照明動作制御手段と、
を備えたことを特徴とする自販機用照明システム。
【請求項２】
自販機本体に装備された照明施設と、顧客が携帯する携帯通信端末に無線接続された簡易型基地局とを備え、この簡易型基地局で補足された顧客情報に基づいて前記照明施設の照明を点灯若しくは消灯制御する照明操作制御機構を装備してなる自販機用照明システムにおいて、
前記照明動作制御機構が、前記簡易型基地局を介して所定のタイミングで送り込まれる各携帯通信端末からの端末識別情報を取得する端末情報取得手段と、
この端末識別情報取得手段にて取得された端末識別情報に基づいて前記携帯通信端末が前記簡易型基地局の基地局エリア内に存在する否かを判定する端末有無判定手段と、
前記基地局エリア内に現に存在しても所定の携帯通信端末については存在しないものとして取り扱うために当該携帯通信端末の端末識別情報を予め記憶する端末情報記憶手段と、
この端末有無判定手段によって前記基地局エリア内に携帯通信端末が存在するものと判定された場合には、当該判定対象の携帯通信端末の端末識別情報が前記端末情報記憶手段に記憶されている否かを判定する記憶有無判定手段と、
この記憶有無判定手段によって当該携帯通信端末の端末識別情報が記憶されていると判定された場合には前記照明施設の消灯要求を出力すると共に、記憶されていないと判定された場合には前記照明施設の点灯要求を出力する要求出力手段と、
この要求出力手段により出力された要求に従って作動し前記自販機本体の照明施設を所定レベルで点灯制御又は消灯制御する照明動作制御手段と、
を備えたことを特徴とする自販機用照明システム。
【請求項３】
前記請求項２記載の自販機用照明システムにおいて、
前記端末情報記憶手段には、前記端末識別情報以外に、前記携帯通信端末の位置を示す位置情報を更に有しており、
前記簡易型基地局を介して携帯通信端末の端末識別情報を受信したのち、当該携帯通信端末から当該携帯通信端末の位置を示す位置情報を取得する位置情報取得手段と、
この位置情報取得手段により前記携帯通信端末の端末識別情報が取得されたのち、当該携帯通信端末から当該携帯通信端末の位置を示す位置情報を取得したか否かを判定する位置情報取得判定手段と、
この位置情報取得判定手段により前記位置情報を取得したものと判定された場合には、前記端末情報記憶手段に記憶する当該携帯通信端末の位置情報と、前記位置情報取得手段により取得された前記位置情報とから、当該携帯通信端末の移動差を算出する移動差算出手段と、
この移動差算出手段により算出された移動差が所定値以上である場合には、予め記憶した移動有無情報を移動有りの情報に更新する移動有無情報更新手段とを更に備え、
前記位置情報取得手段が、携帯通信端末についての前記位置情報を再び取得することを特徴とする自販機用照明システム。
【請求項４】
前記請求項３記載の自販機用照明システムにおいて、
前記端末情報記憶手段には、前記端末識別情報及び前記位置情報以外に、前記携帯通信端末の移動の有無を示す有無情報を更に有しており、
所定期間の経過を計時する所定期間計時手段と、
請求項３記載の手段を実行中に前記所定期間の経過を計時すると、前記端末情報記憶手段に記憶されている前記有無情報に基づき、当該携帯通信端末の移動の有無を計数し積算する計数積算手段とを更に備え、
前記要求出力手段が、計数し積算した移動回数が所定数以上の場合に前記照明施設の点灯要求を出力するように又前記移動回数が所定数未満である場合には前記照明施設の消灯要求を出力することを特徴とする自販機用照明システム。
【請求項５】
自販機本体に装備された簡易型基地局を介して複数の携帯通信端末からの端末識別情報を受信する端末識別情報受信工程と、
この受信された端末識別情報に基づいて当該携帯通信端末が前記簡易型基地局の基地局エリア内に存在する否かを判定する端末有無判定工程と、
前記受信された端末識別情報にかかる携帯通信端末が基地局エリア内に存在すると判定された場合には前記自販機本体に装備された照明施設の点灯要求を出力し前記基地局エリア内に当該携帯通信端末が存在しないと判定された場合には前記照明施設の消灯要求を出力する要求出力工程と、
この出力された要求に従って作動し前記自販機本体の照明施設を点灯制御又は消灯制御する照明動作制御工程を備えたことを特徴とする自販機用照明動作制御方法。
【請求項６】
自販機本体に装備された簡易型基地局を介して複数の携帯通信端末からの端末識別情報を受信する端末識別情報受信工程と、
この受信された端末識別情報に基づいて当該携帯通信端末が前記簡易型基地局の基地局エリア内に存在する否かを判定する端末有無判定工程と、
前記基地局エリア内に現に存在しても所定の携帯通信端末については存在しないものとして取り扱うために当該端末識別情報を予め記憶する端末情報記憶手段と、
前記基地局エリア内に携帯通信端末が存在するものと判定された場合には、当該判定対象の携帯通信端末の端末識別情報が、前記端末情報記憶工程で記憶されたものか否かを判定する記憶有無判定工程と、
この携帯通信端末の端末識別情報が前記端末情報記憶工程で記憶されたものと判定された場合には前記照明施設の消灯要求を出力し記憶されていないと判定された場合には前記照明施設の点灯要求を出力する要求出力工程と、
この出力された要求に従って作動し前記自販機本体の照明施設を所定レベルで点灯制御又は消灯制御する照明動作制御工程と、
を備えたことを特徴とする自販機用照明動作制御方法。
【請求項７】
前記請求項６記載の自販機用照明動作制御方法において、
前記簡易型基地局を介して携帯通信端末の端末識別情報を受信したのち、当該携帯通信端末から当該携帯通信端末の位置を示す位置情報を取得する位置情報取得工程と、
前記携帯通信端末の端末識別情報を取得したのち、当該携帯通信端末から当該携帯通信端末の位置を示す位置情報を取得したか否かを判定する位置情報取得判定工程と、
前記位置情報を取得したものと判定した場合には、予め記憶する前記携帯通信端末から当該携帯通信端末の位置を示す位置情報の移動差を算出する移動差算出工程と、
算出した移動差が所定値以上である場合には、予め記憶した移動有無情報を移動有りの情報に更新する移動有無情報更新工程とを更に備え、
前記位置情報取得工程が、携帯通信端末についての前記位置情報を再び取得することを特徴とする自販機用照明動作制御方法。
【請求項８】
前記請求項７記載の自販機用照明動作制御方法において、
所定期間の経過を計時する所定期間計時工程と、
前記所定期間の経過を計時すると、前記携帯通信端末の移動の有無を示す有無情報に基づき、当該携帯通信端末の移動を計数し積算する計数積算工程とを更に備え、
前記要求出力工程が、計数し積算した移動回数が所定数以上の場合に前記照明施設の点灯要求を出力するように又前記移動回数が所定数未満である場合には前記照明施設の消灯要求を出力することを特徴とする自販機用照明動作制御方法。
【請求項９】
自販機本体に装備された照明操作制御機構が備えているコンピュータを、
予め別に装備された簡易型基地局で受信される複数の端末識別情報に基づいて当該各携帯通信端末が前記簡易型基地局の基地局エリア内に存在する否かを判定する端末有無判定手段、
前記受信された端末識別情報にかかる携帯通信端末が基地局エリア内に存在する場合には前記自販機本体に装備された照明施設の点灯要求を出力し前記基地局エリア内に当該携帯通信端末が存在しない場合には前記照明施設の消灯要求を出力する要求出力手段、
及び、この出力された要求に従って作動し前記自販機本体の照明施設を所定レベルで点灯制御又は消灯制御する照明用動作制御手段、
として機能させるための自販機用照明動作制御プログラム。
【請求項１０】
自販機本体に装備された照明操作制御機構が備えているコンピュータを、
予め別に装備された簡易型基地局で受信される複数の端末識別情報に基づいて当該各携帯通信端末が前記簡易型基地局の基地局エリア内に存在する否かを判定する端末有無判定手段、
前記基地局エリア内に現に存在しても所定の携帯通信端末については存在しないものとして取り扱うために当該携帯通信端末の端末識別情報を予め記憶する端末情報記憶手段、
前記基地局エリア内に携帯通信端末が存在する場合には、当該判定対象の携帯通信端末の端末識別情報が、前記基地局エリア内に現に存在しても所定の携帯通信端末については存在しないものとして取り扱うために当該携帯通信端末の端末識別情報が記憶されている否かを判定する記憶有無判定手段、
この携帯通信端末の端末識別情報が記憶されているものと判定された場合には前記照明施設の消灯要求を出力すると共に、記憶されていないと判定された場合には前記照明施設の点灯要求を出力する要求出力手段、
及び、この出力された要求に従って作動し前記自販機本体の照明施設を点灯制御又は消灯制御する照明動作制御手段、
として機能させるための自販機用照明動作制御プログラム。
【発明の詳細な説明】
【技術分野】
【０００１】
本発明は、自動販売機の照明を制御する自販機用照明システム及び自販機用照明動作制御方法に関する。
【背景技術】
【０００２】
自動販売機は、四六時中稼働しているため、購入者が必要なときに商品を購入することができ、便利な機械である。通常、自動販売機は、自身の存在、及び提供可能な商品サンプルや広告を認知してもらうため、夜間、周囲に人が誰もいないのに照明を点灯している。しかしながら、自動販売機は、夜間、周囲に人が誰もいないのに関わらず自動販売機の照明を点灯し続けるのは、電気代が嵩むとともに電力エネルギーの無駄使いであるという問題点があった。
【０００３】
そこで、上述した問題点を解決するために、ＰＨＳ（Personal Handy Phone System)携帯端末と、自動販売機と、自動販売機の近くに設置されている中継器とからなる自動販売機の制御システムが開示されている（例えば、特許文献１参照）。このシステムは、中継器がＰＨＳ携帯端末から送信された位置登録信号を受信し、この受信した位置登録信号に基づき、自動販売機は、販売予定対象者の存在を確認して照明を点灯するという構成になっている。
【０００４】
【特許文献１】特開平９−２１２７３０号公報
【発明の開示】
【発明が解決しようとする課題】
【０００５】
しかしながら、上述した自動販売機の制御システムでは、ＰＨＳ携帯端末と自動販売機の近くに設置されている中継器との距離が短い範囲でＰＨＳ携帯端末が使用されるので、自動販売機の設置箇所は、例えば社内等の１つのフロアにおいて使用できるのみである。従って、町中に自動販売機を設置することで、販売予定対象者を広い範囲において検知し、その検知結果を基にして自動販売機の照明を消灯または点灯制御することができないという問題点があった。
【０００６】
そこで、本発明は、上述した問題点に鑑みてなされたものであって、町中にいる多くの販売予定対象者の検知を基にして自動販売機の照明を消灯または点灯制御することが可能な自動販売機及び自動販売機制御方法を提供することを目的とする。
【課題を解決するための手段】
【０００７】
上記課題を解決するため、請求項１記載の発明では、自販機本体に装備された照明施設と、顧客が携帯する携帯通信端末に無線接続された簡易型基地局とを備え、この簡易型基地局で捕捉された携帯端末情報に基づいて前記照明施設の照明を点灯若しくは消灯制御する照明操作制御機構を装備してなる自販機用照明システムにおいて、前記照明動作制御機構が、前記簡易型基地局を介して所定のタイミングで送り込まれる各携帯通信端末からの端末識別情報を取得する端末情報取得手段と、この端末識別情報取得手段にて取得された端末識別情報に基づいて前記携帯通信端末が前記簡易型基地局の基地局エリア内に存在する否かを判定する端末有無判定手段と、この端末有無判定手段により前記基地局エリア内に携帯通信端末が存在すると判定された場合には前記照明施設の点灯要求を出力すると共に、前記基地局エリア内に当該携帯通信端末が存在しないと判定された場合には前記照明施設の消灯要求を出力する要求出力手段と、この要求出力手段により出力された要求に従って作動し前記自販機本体の照明施設を所定レベルで点灯制御又は消灯制御する照明動作制御手段とを備えるという構成を有する。
【０００８】
この構成によれば、町中にいる多くの販売予定対象者の検知を基にして自動販売機の照明を消灯または点灯制御することができる。
【０００９】
請求項２記載の発明では、自販機本体に装備された照明施設と、顧客が携帯する携帯通信端末に無線接続された簡易型基地局とを備え、この簡易型基地局で補足された顧客情報に基づいて前記照明施設の照明を点灯若しくは消灯制御する照明操作制御機構を装備してなる自販機用照明システムにおいて、前記照明動作制御機構が、前記簡易型基地局を介して所定のタイミングで送り込まれる各携帯通信端末からの端末識別情報を取得する端末情報取得手段と、この端末識別情報取得手段にて取得された端末識別情報に基づいて前記携帯通信端末が前記簡易型基地局の基地局エリア内に存在する否かを判定する端末有無判定手段と、前記基地局エリア内に現に存在しても所定の携帯通信端末については存在しないものとして取り扱うために当該携帯通信端末の端末識別情報を予め記憶する端末情報記憶手段と、前記端末有無判定手段によって前記基地局エリア内に携帯通信端末が存在するものと判定された場合には、当該判定対象の携帯通信端末の端末識別情報が前記端末情報記憶手段に記憶されている否かを判定する記憶有無判定手段と、この記憶有無判定手段によって当該携帯通信端末の端末識別情報が記憶されていると判定された場合には前記照明施設の消灯要求を出力すると共に、記憶されていないと判定された場合には前記照明施設の点灯要求を出力する要求出力手段と、この要求出力手段により出力された要求に従って作動し前記自販機本体の照明施設を所定レベルで点灯制御又は消灯制御する照明動作制御手段とを備えるという構成を有する。
【００１０】
これによれば、人家にいる購入を希望しない携帯通信端末の端末識別情報により、自動販売機の照明が常時点灯した状態になってしまうのを防止することができる。
【００１１】
請求項３記載の発明では、前述した端末情報記憶手段には、前記端末識別情報以外に、前記携帯通信端末の位置を示す位置情報を更に有しており、前記簡易型基地局を介して携帯通信端末の端末識別情報を受信したのち、当該携帯通信端末から当該携帯通信端末の位置を示す位置情報を取得する位置情報取得手段と、この位置情報取得手段により前記携帯通信端末の端末識別情報が取得されたのち、当該携帯通信端末から当該携帯通信端末の位置を示す位置情報を取得したか否かを判定する位置情報取得判定手段と、この位置情報取得判定手段により前記位置情報を取得したものと判定された場合には、前記端末情報記憶手段に記憶する当該携帯通信端末の位置情報と、前記位置情報取得手段により取得された前記位置情報とから、当該携帯通信端末の移動差を算出する移動差算出手段と、この移動差算出手段により算出された移動差が所定値以上である場合には、予め記憶した移動有無情報を移動有りの情報に更新する移動有無情報更新手段とを更に備え、前記位置情報取得手段が、携帯通信端末についての前記位置情報を再び取得するという構成を有する。
【００１２】
この構成によれば、人家にいる携帯通信端末を携帯する人の中から購入予定対象者を特定することが可能となり、自動販売機の照明を点灯または消灯することができる。
【００１３】
請求項４記載の発明では、前述した端末情報記憶手段には、前記端末識別情報及び前記位置情報以外に、前記携帯通信端末の移動の有無を示す有無情報を更に有しており、所定期間の経過を計時する所定期間計時手段と、前述した各手段の実行中に前記所定期間の経過を計時すると、予め記憶する前記携帯通信端末の移動の有無を計数し積算する計数積算手段とを更に備え、前記要求出力手段が、計数し積算した移動回数が所定数以上の場合に前記照明施設の点灯要求を出力するように又前記移動回数が所定数未満である場合には前記照明施設の消灯要求を出力するという構成を有する。
【００１４】
請求項５記載の発明では、自販機本体に装備された簡易型基地局を介して複数の携帯通信端末からの端末識別情報を受信する端末識別情報受信工程と、この受信された端末識別情報に基づいて当該携帯通信端末が前記簡易型基地局の基地局エリア内に存在する否かを判定する端末有無判定工程と、前記受信された端末識別情報にかかる携帯通信端末が基地局エリア内に存在すると判定された場合には前記自販機本体に装備された照明施設の点灯要求を出力し前記基地局エリア内に当該携帯通信端末が存在しないと判定された場合には前記照明施設の消灯要求を出力する要求出力工程と、この出力された要求に従って作動し前記自販機本体の照明施設を点灯制御又は消灯制御する照明動作制御工程とを備えるという構成を有する。
【００１５】
この構成によれば、町中にいる多くの販売予定対象者の検知を基にして自動販売機の照明を消灯または点灯制御することができる。
【００１６】
請求項６記載の発明では、自販機本体に装備された簡易型基地局を介して複数の携帯通信端末からの端末識別情報を受信する端末識別情報受信工程と、この受信された端末識別情報に基づいて当該携帯通信端末が前記簡易型基地局の基地局エリア内に存在する否かを判定する端末有無判定工程と、前記基地局エリア内に現に存在しても所定の携帯通信端末については存在しないものとして取り扱うために当該携帯通信端末の端末識別情報を予め記憶する端末情報記憶手段と、前記基地局エリア内に携帯通信端末が存在するものと判定された場合には、当該判定対象の携帯通信端末の端末識別情報が、前記端末情報記憶工程で記憶されたものか否かを判定する記憶有無判定工程と、この携帯通信端末の端末識別情報が前記端末情報記憶工程で記憶されたものと判定された場合には前記照明施設の消灯要求を出力し記憶されていないと判定された場合には前記照明施設の点灯要求を出力する要求出力工程と、この出力された要求に従って作動し前記自販機本体の照明施設を所定レベルで点灯制御又は消灯制御する照明動作制御工程とを備えるという構成を有する。
【００１７】
この構成によれば、人家にいる購入を希望しない携帯通信端末の端末識別情報により、自動販売機の照明が常時点灯した状態になってしまうのを防止することができる。
【００１８】
請求項７記載の発明では、前述した自販機用照明動作制御方法において、前記簡易型基地局を介して携帯通信端末の端末識別情報を受信したのち、当該携帯通信端末から当該携帯通信端末の位置を示す位置情報を取得する位置情報取得工程と、前記携帯通信端末の端末識別情報を取得したのち、当該携帯通信端末から当該携帯通信端末の位置を示す位置情報を取得したか否かを判定する位置情報取得判定工程と、前記位置情報を取得したものと判定した場合には、予め記憶する前記携帯通信端末から当該携帯通信端末の位置を示す位置情報の移動差を算出する移動差算出工程と、算出した移動差が所定値以上である場合には、予め記憶した移動有無情報を移動有りの情報に更新する移動有無情報更新工程とを更に備え、前記位置情報取得工程が、携帯通信端末についての前記位置情報を再び取得するという構成を有する。
【００１９】
請求項８記載の発明では、前述した自販機用照明動作制御方法において、所定期間の経過を計時する所定期間計時工程と、前述した各工程において所定期間の経過を計時すると、予め記憶する、前記携帯通信端末の移動の有無を示す有無情報に基づき、当該携帯通信端末の移動の有無を計数し積算する計数積算工程とを更に備え、前記要求出力工程が、計数し積算した移動回数が所定数以上の場合に前記照明施設の点灯要求を出力するように又前記移動回数が所定数未満である場合には前記照明施設の消灯要求を出力するという構成を有する。
【００２０】
この構成によれば、人家にいる携帯通信端末を携帯する人の中から購入予定対象者を特定することが可能となり、自動販売機の照明を点灯または消灯することができる。
【００２１】
請求項９記載の発明では、自販機本体に装備された照明操作制御機構が備えているコンピュータを、予め別に装備された簡易型基地局で受信される複数の端末識別情報に基づいて当該各携帯通信端末が前記簡易型基地局の基地局エリア内に存在する否かを判定する端末有無判定手段、前記受信された端末識別情報にかかる携帯通信端末が基地局エリア内に存在する場合には前記自販機本体に装備された照明施設の点灯要求を出力し前記基地局エリア内に当該携帯通信端末が存在しない場合には前記照明施設の消灯要求を出力する要求出力手段と、及び、この出力された要求に従って作動し前記自販機本体の照明施設を所定レベルで点灯制御又は消灯制御する照明用動作制御手段として機能させる。
【００２２】
この構成によれば、町中にいる多くの販売予定対象者の検知を基にして自動販売機の照明を消灯または点灯制御することができる。
【００２３】
請求項１０記載の発明では、自販機本体に装備された照明操作制御機構が備えているコンピュータを、予め別に装備された簡易型基地局で受信される複数の端末識別情報に基づいて当該各携帯通信端末が前記簡易型基地局の基地局エリア内に存在する否かを判定する端末有無判定手段、前記基地局エリア内に現に存在しても所定の携帯通信端末については存在しないものとして取り扱うために当該携帯通信端末の端末識別情報を予め記憶する端末情報記憶手段、前記基地局エリア内に携帯通信端末が存在する場合には、当該判定対象の携帯通信端末の端末識別情報が、予め記憶する、前記基地局エリア内に現に存在しても所定の携帯通信端末については存在しないものとして取り扱うために当該携帯通信端末の端末識別情報が記憶されている否かを判定する記憶有無判定手段、この携帯通信端末の端末識別情報が記憶されているものと判定された場合には前記照明施設の消灯要求を出力すると共に、記憶されていないと判定された場合には前記照明施設の点灯要求を出力する要求出力手段、及び、この出力された要求に従って作動し前記自販機本体の照明施設を点灯制御又は消灯制御する照明動作制御手段として機能させる。
【００２４】
この構成によれば、人家にいる携帯通信端末を携帯する人の中から購入予定対象者を特定することが可能となり、自動販売機の照明を点灯または消灯することができる。
【発明の効果】
【００２５】
町中にいる多くの販売予定対象者の検知を基にして自動販売機の照明を消灯または点灯制御することができる。
【発明を実施するための最良の形態】
【００２６】
次に、本発明を実施するための最良の形態を図面に基づいて詳細に説明する。
【００２７】
図１は、本発明の実施形態に係る自販機用照明システムの概略構成を示す。この図１に示すように、この実施形態の自販機用照明システムは、自販機本体（以下、自動販売機という）１０に装備された照明施設１０Ａと、顧客が携帯する携帯通信端末２０に無線接続された簡易型基地局１８とを備え、簡易型基地局１８で捕捉された携帯通信端末２０が送信した端末識別情報に基づいて照明施設１０Ａの照明を点灯若しくは消灯制御する照明操作制御機構１００を装備している。ここで、符合１８Ａは簡易型基地局１８のアンテナを示す。
【００２８】
この内、照明動作制御機構１００は、図２（Ａ）に示すように、通信制御部１１０、位置取得部１２０、計時部１３０、端末情報制御部１４０、端末情報記憶部１５０、及び照明制御部１６０を備えた構成となっている。
【００２９】
通信制御部１１０は、携帯通信端末２０との間で一般的な通信制御を簡易型基地局１８を介して行うとともに、簡易型基地局１８を介して入力された携帯通信端末２０の端末識別情報を端末情報制御部１４０に出力する。この通信制御部１１０は、本発明にかかる端末識別情報取得手段１１０Ａを含む構成となっている。
【００３０】
位置取得部１２０は、予め、端末情報記憶部１５０に記憶されている携帯通信端末データ（後述する）に記載されている。携帯通信端末２０についての現在位置を示す位置情報を、該当する携帯通信端末２０から無線を介して取得し、この位置情報を端末情報制御部１４０に出力する。この位置情報は、携帯通信端末の現在位置を示す緯度・経度である。なお、携帯通信端末２０は、緯度・経度の測位情報をＧＰＳ衛星から取得可能なものである。ここで、位置取得部１２０は、本発明にかかる位置取得手段に対応する。
【００３１】
計時部１３０は、自動販売機１０が稼働した時点から計時を開始する。また、この計時部１２０は、端末情報記憶部１５０に記憶されている携帯通信端末データに記述されている移動有無確定期間（携帯通信端末２０の移動の有無を確定するために期間：以下同じ）を経過すると、その旨を端末情報制御部１４０に出力する。ここで、位置取得部１２０は、本発明にかかる計時手段に対応する。
【００３２】
端末情報制御部１４０は、図２（Ｂ）に示すように、端末有無判定部１４０Ａ、記憶有無判定部１４０Ｂ、要求出力部１４０Ｃ、移動差算出部１４０Ｄ、計数積算部１４０Ｅ、、移動有無情報更新部１４０Ｆ、及び位置情報取得判定部１４０Ｇにより構成されている。
【００３３】
端末有無判定部１４０Ａは、通信制御部１１０から入力された端末識別情報について、端末情報記憶部１５０に記憶されている携帯通信端末データを検索し、携帯通信端末データに記述されている端末識別情報の中に、入力された端末識別情報があるか否かを判定する。
【００３４】
記憶有無判定部１４０Ｂは、端末有無判定部１４０Ａによって基地局エリア５０内に携帯通信端末２０が存在するものと判定された場合には、端末情報記憶部１５０に記憶されている携帯通信端末データを検索し、判定対象の携帯通信端末２０の端末識別情報が端末情報記憶部１５０に記憶されている否かを判定する。ここで、この記憶有無判定部１４０Ｂは、本発明にかかる記憶有無判定手段に対応する。
【００３５】
要求出力部１４０Ｃは、端末有無判定部１４０Ａにより基地局エリア５０内に携帯通信端末２０が存在すると判定された場合には、照明施設１０Ａの点灯要求を出力し、一方、基地局エリア５０内に携帯通信端末２０が存在しないと判定された場合には、照明施設１０Ａの消灯要求を出力する。また、要求出力部１４Ｃは、記憶有無判定部１４０Ｂによって携帯通信端末２０の端末識別情報が記憶されていると判定された場合には、照明施設１０Ａの消灯要求を出力し、一方、記憶されていないと判定された場合には照明施設１０Ａの点灯要求を出力する。また、要求出力部１４０Ｃは、計数し積算した移動回数が所定数以上の場合に照明施設１０Ａの点灯要求を出力し、一方、移動回数が所定数未満である場合には照明施設１０Ａの消灯要求を出力し、端末情報記憶部１５０に記憶されているすべての携帯通信端末データに記述されている移動有無情報項目を「なし」に書き換える。ここで、この要求出力部１４０Ｃは、本発明にかかる要求出力手段に対応する。
【００３６】
計数積算部１４０Ｄは、実行中に計時部１３０が移動有無確定間の経過を計時すると、端末情報記憶部１５０に記憶されている携帯端末情報データ１５１中の移動有無情報項目に記述されている「あり」数を計数し積算する。ここで、この計数積算部１４０Ｄは、本発明にかかる計数積算手段に対応する。
【００３７】
移動有無情報更新部１４０Ｅは、移動差算出部１４０Ｅにより算出された移動差が所定値以上である場合には、端末情報記憶部１５０に記憶されている携帯端末データ１５１の移動有無情報項目を移動「あり」に更新する。ここで、この移動有無情報更新部１４０Ｅは、本発明にかかる移動有無情報更新手段に対応する。
【００３８】
移動差算出部１４０Ｆは、位置情報取得判定部１４０Ｇにより携帯通信端末２０の位置情報を取得したものと判定された場合には、端末情報記憶部１５０に記憶されている携帯通信端末２０の位置情報と、位置情報取得部１２０により取得された位置情報とから、携帯通信端末２０の移動差を算出する。ここで、この移動差算出部１４０Ｆは、本発明にかかる移動差算出手段に対応する。
【００３９】
位置情報取得判定部１４０Ｇは、携帯通信端末２０の端末識別情報を取得したのち、この携帯通信端末２０から自己位置を示す位置情報を取得したか否かを判定する。この位置情報取得判定部１４０Ｇは、本発明にかかる位置情報取得判定手段に対応する。
【００４０】
端末情報記憶部１５０は、図３に示すように、携帯通信端末データ１５１を記憶している。この携帯通信端末データ１５１には、購入予想対象者が携帯する携帯通信端末２０を識別するユーザＩＤ、端末識別情報、携帯通信端末２０の現在地を示す緯度・経度情報、及び携帯通信端末２０の移動の有無を示す移動確認情報が記載されている。なお、携帯通信端末データ１５１を必要とした理由は、基地局エリア内の携帯通信端末所持者の有無のみで自動販売機の照明の制御を行う事が適切でない場合も考えられるからである。例えば、基地局エリア内に人家が在る自動販売機では、人家にいる人が携帯する携帯通信端末により、常時、端末識別情報が入力されるので、購入を希望しない人の端末識別情報も入力され、その結果、自動販売機１０の照明が常時点灯した状態になってしまうからである。ここで、端末情報記憶部１５０は、本発明の端末情報記憶手段に対応する。
照明制御部１６０は、端末情報制御部１４０から受けた自動販売機１０の照明を消灯させる要求を受けると、照明を消灯させ、また、点灯させる要求を受けると照明を点灯させる。ここで、照明制御部１６０は、本発明の照明動作制御手段に対応する。
【００４１】
次に、上記実施形態にかかる自販機用照明システムの動作を説明する。
ここで、上述した自販機用照明システムは、下記の工程をもってその動作が実行されるようになっている。
即ち、自販機本体１０に装備された簡易型基地局１８を介して複数の携帯通信端末２０からの端末識別情報を受信する端末識別情報受信工程と、この受信された端末識別情報に基づいて当該携帯通信端末が前記簡易型基地局の基地局エリア内に存在する否かを判定する端末有無判定工程と、前記基地局エリア内に現に存在しても所定の携帯通信端末については存在しないものとして取り扱うために当該端末識別情報を予め記憶する端末情報記憶手段と、前記基地局エリア内に携帯通信端末が存在するものと判定された場合には、当該判定対象の携帯通信端末の端末識別情報が、前記端末情報記憶工程で記憶されたものか否かを判定する記憶有無判定工程と、この携帯通信端末の端末識別情報が前記端末情報記憶工程で記憶されたものと判定された場合には前記照明施設の消灯要求を出力し記憶されていないと判定された場合には前記照明施設の点灯要求を出力する要求出力工程と、この出力された要求に従って作動し前記自販機本体の照明施設を所定レベルで点灯制御又は消灯制御する照明動作制御工程と、をもって、その動作が実行されるようになっている。以下、これを更に詳述する。
【００４２】
ここで、この動作の説明を、１）携帯通信端末が基地局エリアの外から中入った場合、及び基地局エリアの中から外に出た場合の自動販売機の動作と、２）基地局エリア内の携帯通信端末所持者のうち購入予定対象者の携帯通信端末２０の有無による自動販売機の動作とに分けて説明する。
【００４３】
１）携帯通信端末が基地局エリアの外から中へ入った場合、及び基地局エリアの中から外に出た場合の自動販売機の動作について
【００４４】
図４は、携帯通信端末が基地局エリアの外から中へ入った場合、及び基地局エリアの中から外に出た場合の自動販売機制御システムの動作を示すフローチャートである。携帯通信端末２０は、常時自己の端末識別情報を無線により発信しており、照明動作制御機構１００を構成する通信制御部１１０は、この端末識別情報を端末情報制御部１４０に出力する。
【００４５】
端末情報制御部１４０を構成する端末有無判定部１４０Ａは、通信制御部１１０から端末識別情報が入力されたと判定されたか否かに携帯通信端末２０が基地局エリア５０に存在するか否かを判定する（ステップ１１０）。端末有無判定部１４０Ａは、通信制御部１１０から端末識別情報が入力されたと判定された場合、すなわち、携帯通信端末２０が基地局エリア存在するものと判定した場合には（ステップ１０１；ＹＥＳ）、記憶有無判定部１４０Ｂに端末識別情報を出力する（ステップ１０２）。
【００４６】
すると、記憶有無判定部１４０Ｂは、入力された端末識別情報について、端末情報記憶部１５０に記憶されている携帯通信端末データ１５１を検索し（ステップ１０３）、携帯通信端末データ１５１に記述されている端末識別情報の中に、入力された端末識別情報があるか否かを判定する（ステップ１０４）。記憶有無判定部１４０Ｂは、携帯通信端末データに記載されている端末識別情報の中に入力された端末識別情報があると判定した場合には（ステップ１０４；ＹＥＳ）、入力された端末識別情報を有する携帯通信端末２０が購入予定対象者でないと確認し（ステップ１０５）、その旨を要求出力部１４０Ｃに出力する。その後、要求出力部１４０Ｃは、自動販売機１０の照明を消灯させる要求を照明制御部１６０に出力する（ステップ１０６）。その後、照明制御部１６０は、受けた照明を消灯させる要求に従って照明を消灯させ（ステップ１０７）、ステップ１０１に処理を移行し、上述した動作を続行する。
【００４７】
ステップ１０４において、記憶有無判定部１４０Ｂは、携帯通信端末データ１５１に記載されている端末識別情報の中に入力された端末識別情報がないと判定した場合には（ステップ１０４；ＮＯ）、入力された端末識別情報を有する携帯通信端末２０が購入予定対象者のものであると確認し（ステップ１０８）、その旨を要求出力部１４０Ｃに出力する。その後、要求出力部１４０Ｃは、自動販売機１０の照明を点灯させる要求を照明制御部１６０に出力する（ステップ１０９）。照明制御部１６０は、入力された要求に従って自動販売機１０の照明を点灯し（ステップ１１０）、ステップ１０１に処理を移行し、上述した動作を続行する。
【００４８】
２）基地局エリア内の携帯通信端末所持者のうち購入予定対象者の携帯通信端末２０の有無による自動販売機の動作について
【００４９】
図５は、基地局エリア内の携帯通信端末所持者のうち購入予定対象者の携帯通信端末２０の有無による自動販売機制御の動作を示すフローチャートである。自動販売機１０を構成する計時部１３０は、時刻を計時しており、携帯通信端末データ１５１に記述されている携帯通信端末２０の移動の有無を確定するための期間を示す移動有無確定期間を経過すると、移動有無期間が経過したことを示す情報を移動有無確定期間判定部１４０Ｈに出力する。
【００５０】
移動有無確定期間判定部１４０Ｈは、移動有無確定期間が経過したことを示す情報が入力されたか否かにより、移動有無確定期間が経過したか否かを判定する（ステップ２０１）。移動有無確定期間判定部１４０Ｈは、移動有無確定期間が経過したことを示す情報が入力されないこと、すなわち、移動有無確定期間が経過していないものと判定した場合には（ステップ２０１；ＮＯ）、その旨を位置情報取得判定部１４０Ｇに出力する。すると、位置情報取得判定部１４０は、携帯通信端末データ１５１に記述されている携帯通信端末２０についての位置情報が、位置取得部１２０から入力されているか否かを判定する（ステップ２０２）。位置情報取得判定部１４０Ｇは、前記位置情報が入力されていないと判定した場合には（ステップ２０２；ＮＯ）、位置情報が入力されるまで同様な処理を続行する。
【００５１】
一方、位置情報取得判定部１４０Ｇは、位置情報が入力されたと判定した場合には（ステップ２０２；ＹＥＳ）、その旨を移動差算出手段１４０Ｄに出力する。移動差算出手段１４０Ｄは、端末情報記憶部１５０に記憶されている携帯通信端末データ１５１の中の該当する携帯通信端末データ１５１の緯度・経度項目に記述されている緯度・経度と、位置情報に記述された緯度・経度との差を算出し、その差が所定値以上あるか否かを判定する（ステップ２０３）。
【００５２】
移動差算出手段１４０Ｄは、携帯通信端末データ１５１の緯度・経度項目に記述されている緯度・経度と、位置情報に記述された緯度・経度との差が所定値以上あると判定した場合には（ステップ２０３；ＹＥＳ）、その旨を移動有無情報更新部１４０Ｆに出力する。移動有無情報更新部１４０Ｆは、携帯通信端末データ１５１の緯度・経度項目に、位置情報に記述されている緯度・経度を書き込む（ステップ２０４）とともに、移動有無情報項目に「あり」を書き込み（ステップ２０５）、ステップ２０２に処理を移行し、上述したと同様な処理を行う。
【００５３】
ステップ２０１において、移動有無確定期間判定部１４０Ｈは、移動有無期間が経過したことを示す情報が入力されたこと、すなわち、移動有無期間が経過しているものと判定した場合には（ステップ２０１；ＹＥＳ）、その旨を計数積算部１４０Ｅに出力する。すると、計数積算部１４０Ｅは、携帯通信端末データ１５１中の移動有無情報項目に記述されている「あり」数を算出する（ステップ２０６）。次に、計数積算部１４０Ｅは、「あり」の数が所定数以上あるか否かを判定する（ステップ２０７）。
【００５４】
計数積算部１４０Ｅは、「あり」の数が所定数以上あると判定した場合には（ステップ２０７；ＹＥＳ）、購入予定対象者の携帯通信端末２０が基地局エリア内に存在するものと判定し、その旨を要求出力部１４０Ｃに出力する。要求出力部１４０Ｃは、照明制御部１６０に自動販売機１０の照明を点灯させる要求を出力する（ステップ２０８）。照明制御部１６０は、入力された要求に従って自動販売機１０の照明を点灯する（ステップ２０９）。その後、移動有無情報更新部１４０Ｆは、端末情報記憶部１５０に記憶されているすべての携帯通信端末データ１５１に記述されている移動有無情報項目を「なし」に書き換え（ステップ２１０）、ステップ２０１に処理を移行し、以後、同様な処理を続行する。
【００５５】
ステップ２０７において、計数積算部１４０Ｅは、「あり」の数が所定数未満あると判定した場合には（ステップ２０７；ＮＯ）、購入予定対象者の携帯通信端末２０が基地局エリア内に存在しないものと確認し、その旨を要求出力部１４０Ｃに出力する。要求出力部１４０Ｃは、照明制御部１６０に自動販売機１０の照明を消灯させる要求を出力する（ステップ２１１）。照明制御部１６０は、入力された要求に従って、自動販売機１０その照明を消灯し（ステップ２１２）、ステップ２１０に処理を移行する。
【００５６】
ここで、上述した自販機用照明システムにおける自動販売機１０の照明動作制御機構１００に、予め動作制御用のコンピュータとしてのＣＰＵと、このＣＰＵに照明施設の動作制御を実行させる自販機用照明動作制御プログラムとを装備し、この自販機用照明動作制御プログラを作動させることにより、通信制御部１１０、位置取得部１２０、計時部１３０、端末情報制御部１４０、端末情報記憶部１５０、及び照明制御部１６０として機能させるようにしてもよい。
【００５７】
この場合、上述した自販機用照明動作制御プログラムは、自販機本体１０に併設された照明操作制御機構１００が備えているコンピュータを、予め別に装備された簡易型基地局１８で受信される複数の端末識別情報に基づいて当該各携帯通信端末２０が前記簡易型基地局１８の基地局エリア内に存在する否かを判定する端末有無判定手段、前述した基地局エリア内に現に存在しても所定の携帯通信端末については存在しないものとして取り扱うために当該携帯通信端末の端末識別情報を予め記憶する端末情報記憶手段、基地局エリア内に携帯通信端末が存在する場合には、当該判定対象の携帯通信端末の端末識別情報が、前記基地局エリア内に現に存在しても所定の携帯通信端末については存在しないものとして取り扱うために当該携帯通信端末の端末識別情報が記憶されている否かを判定する記憶有無判定手段、この携帯通信端末の端末識別情報が記憶されているものと判定された場合には前記照明施設の消灯要求を出力すると共に、記憶されていないと判定された場合には前記照明施設の点灯要求を出力する要求出力手段、及び、この出力された要求に従って作動し前記自販機本体の照明施設を点灯制御又は消灯制御する照明動作制御手段、として機能させること、をその内容とする。
【００５８】
以上のように、上述した実施形態では、搭載する簡易型基地局１８を介して携帯通信端末２０の端末識別情報を取得することができるので、町中にいる多くの販売予定対象者の検知を基にして自動販売機の照明を消灯または点灯制御することができる。
【００５９】
又、この実施形態では、端末情報制御部１４０が、先に基地局エリア５０内に携帯通信端末２０が存在すると判定し、更に、この携帯通信端末２０の端末識別情報が端末情報記憶部１５０に記憶されている端末識別情報に記述されているか否かを判定するので、人家にいる購入を希望しない人の携帯通信端末の端末識別情報により、自動販売機１０の照明が常時点灯した状態になってしまうのを防止することができる。
【００６０】
更に、この実施形態では、端末情報制御部１４０が、所定期間が計時されると、端末情報記憶部１５０に記憶されている、移動「あり」の数を算出し、移動「あり」の数が所定数以上である場合には、自動販売機１０の照明を点灯させる要求を出力し、一方、移動有無情報の数が所定数未満である場合には、自動販売機１０の照明を消灯させる要求を出力するので、人家にいる携帯通信端末２０を携帯する人の中から購入予定対象者を特定することが可能となり、自動販売機１０の照明を点灯または消灯することができる。
【００６１】
尚、上述した実施形態では、自動販売機周辺に購入予想対象者の存在が無い場合には、自動販売機の照明を消灯するように構成されているが、それ以外として、照明の強さを落とすようにしてもよい。
【図面の簡単な説明】
【００６２】
【図１】本発明の実施形態に係る自販機用照明システムの概略構成を示す図である。
【図２】図１に示す実施形態に係る照明動作制御機構の構成を示すブロック図である。
【図３】図１中の端末情報記憶部に記憶されている携帯通信端末データの構成を示す図である。
【図４】本発明に係る実施形態の動作を示すフローチャートである。
【図５】本発明に係る実施形態の動作を示すフローチャートである。
【符号の説明】
【００６３】
１０  自動販売機（自販機本体）
１０Ａ  照明施設
１８  簡易型基地局
１８Ａ  アンテナ
１００  照明動作制御機構
１１０  通信制御部（端末識別情報取得手段）
１２０  位置取得部（位置取得手段）
１３０  計時部（計時手段）
１４０  端末情報制御部
１４０Ａ  端末有無判定部（端末有無判定手段）
１４０Ｂ  記憶有無判定部（記憶有無判定手段）
１４０Ｃ  要求出力部（要求出力手段）
１４０Ｄ  計数積算手段（計数積算手段）
１４０Ｅ  移動差算出部（移動差算出手段）
１４０Ｆ  移動有無情報更新部（移動有無情報更新手段）
１４０Ｈ  移動有無確定期間判定部
１５０  端末情報記憶部（端末情報記憶手段）
１６０  照明制御部（照明動作制御手段）
２０  携帯通信端末
５０  基地局エリア
【図１】
2007011483.tif 000003
【図２】
2007011483.tif 000004
【図３】
2007011483.tif 000005
【図４】
2007011483.tif 000006
【図５】
2007011483.tif 000007